(57)【要約】【課題】高い利便性を有するボールマーカーを提供する。【解決手段】ボールマーカー１は、板状のマーカー本体２と、マーカー本体２に形成され、一端が閉じ他端がマーカー本体２の側面に開放しているスリット３と、を有する。また、マーカー本体２は、平面視で円形をなし、その直径は、４０ｍｍ〜５０ｍｍである。また、スリット３は、マーカー本体２の径方向に沿って形成されており、スリット３の閉じた側の端部３１は、マーカー本体２の中心Ｏを含んでいる。また、マーカー本体２は、光透過性を有し、蛍光色に着色されている。【選択図】図１
2020014813.tif 000002
【特許請求の範囲】
【請求項１】
板状のマーカー本体と、
前記マーカー本体に形成され、一端が閉じ他端が前記マーカー本体の側面に開放しているスリットと、を有することを特徴とするボールマーカー。
【請求項２】
前記マーカー本体は、平面視で円形をなす請求項１に記載のボールマーカー。
【請求項３】
前記マーカー本体の直径は、４０ｍｍ〜５０ｍｍである請求項２に記載のボールマーカー。
【請求項４】
前記スリットは、前記マーカー本体の径方向に沿って形成されている請求項２または３に記載のボールマーカー。
【請求項５】
前記スリットの閉じた側の端部は、前記マーカー本体の中心を含んでいる請求項４に記載のボールマーカー。
【請求項６】
前記スリットの閉じた側の端部は、円弧状に丸み付けされ、
前記円弧は、前記マーカー本体と同心的に形成されている請求項５に記載のボールマーカー。
【請求項７】
前記マーカー本体は、光透過性を有する請求項１ないし６のいずれか１項に記載のボールマーカー。
【請求項８】
前記マーカー本体は、蛍光色に着色されている請求項１ないし７のいずれか１項に記載のボールマーカー。
【請求項９】
前記マーカー本体の側面には凹凸が形成されている請求項１ないし８のいずれか１項に記載のボールマーカー。
【請求項１０】
前記凹凸は、前記マーカー本体の厚さ方向に沿って形成された凹条および凸条が前記マーカー本体の周方向に沿って交互に配置された構成となっている請求項９に記載のボールマーカー。
【請求項１１】
前記マーカー本体には、目盛が設けられている請求項１ないし１０のいずれか１項に記載のボールマーカー。
【請求項１２】
前記スリットにゴルフクラブのシャフトを挿入することにより、前記シャフトに前記マーカー本体が取り付けられる請求項１ないし１１のいずれか１項に記載のボールマーカー。
【発明の詳細な説明】
【技術分野】
【０００１】  本発明は、ボールマーカーに関する。
【背景技術】
【０００２】  例えば、従来のゴルフ用のボールマーカーとして、特許文献１に記載のボールマーカーが知られている。特許文献１に記載のボールマーカーは、磁気吸着によってホルダー本体に保持することができる。しかしながら、このようなボールマーカーは、磁石が取り付けられていること以外、何の特徴もなく、利便性に欠けるという欠点がある。
【先行技術文献】
【特許文献】
【０００３】
【特許文献１】特開２０１３−１８３７７４号公報
【発明の概要】
【発明が解決しようとする課題】
【０００４】  本発明の目的は、高い利便性を有するボールマーカーを提供することにある。
【課題を解決するための手段】
【０００５】  このような目的は、下記の本発明により達成される。【０００６】  （１）  板状のマーカー本体と、
前記マーカー本体に形成され、一端が閉じ他端が前記マーカー本体の側面に開放しているスリットと、を有することを特徴とするボールマーカー。【０００７】  （２）  前記マーカー本体は、平面視で円形をなす上記（１）に記載のボールマーカー。【０００８】  （３）  前記マーカー本体の直径は、４０ｍｍ〜５０ｍｍである上記（２）に記載のボールマーカー。【０００９】  （４）  前記スリットは、前記マーカー本体の径方向に沿って形成されている上記（２）または（３）に記載のボールマーカー。【００１０】  （５）  前記スリットの閉じた側の端部は、前記マーカー本体の中心を含んでいる上記（４）に記載のボールマーカー。【００１１】  （６）  前記スリットの閉じた側の端部は、円弧状に丸み付けされ、
前記円弧は、前記マーカー本体と同心的に形成されている上記（５）に記載のボールマーカー。【００１２】  （７）  前記マーカー本体は、光透過性を有する上記（１）ないし（６）のいずれかに記載のボールマーカー。【００１３】  （８）  前記マーカー本体は、蛍光色に着色されている上記（１）ないし（７）のいずれかに記載のボールマーカー。【００１４】  （９）  前記マーカー本体の側面には凹凸が形成されている上記（１）ないし（８）のいずれかに記載のボールマーカー。【００１５】  （１０）  前記凹凸は、前記マーカー本体の厚さ方向に沿って形成された凹条および凸条が前記マーカー本体の周方向に沿って交互に配置された構成となっている上記（９）に記載のボールマーカー。【００１６】  （１１）  前記マーカー本体には、目盛が設けられている上記（１）ないし（１０）のいずれかに記載のボールマーカー。【００１７】  （１２）  前記スリットにゴルフクラブのシャフトを挿入することにより、前記シャフトに前記マーカー本体が取り付けられる上記（１）ないし（１１）のいずれかに記載のボールマーカー。
【図面の簡単な説明】
【００１８】
【図１】本発明の好適な実施形態に係るボールマーカーを示す斜視図である。
【図２】図１に示すボールマーカーを示す平面図である。
【図３】図１に示すボールマーカーをシャフトに取り付けた状態を示す図である。
【発明を実施するための形態】
【００１９】  図１に示すゴルフ用のボールマーカー１は、マーカー本体２と、マーカー本体２に形成されたスリット３と、を有する。
【００２０】  マーカー本体２は、板状をなし、平面視で円形となっている。なお、円形とは、真円の場合の他、例えば製造上の誤差等真円から若干崩れたような円も含まれる意味である。ただし、マーカー本体２の平面視形状としては、特に限定されず、例えば、三角形、四角形、五角形、半円形、楕円形、長円形、異形等であってもよい。
【００２１】  また、マーカー本体２の直径としては、特に限定されないが、ゴルフボールの直径に近いことが好ましく、等しいことがより好ましい。なお、世界で最も権威のあるゴルフの協会とされる全英ゴルフ協会（Ｒ＆Ａ）および全米ゴルフ協会（ＵＳＧＡ）において、ゴルフボールの直径は、４２．６７ｍｍ（１．６８インチ）以上と定められている。ゴルフボールは、小さいほど風や空気の抵抗を受け難く飛距離が伸びることから、市販されているほとんどのゴルフボールは、上記下限値である４２．６７ｍｍに近い約４３ｍｍとなっている。したがって、マーカー本体２の直径としては、４０ｍｍ〜５０ｍｍ程度であることが好ましく、４２ｍｍ〜４４ｍｍ程度であることがより好ましい。このように、マーカー本体２の直径をゴルフボールの直径とほぼ等しくすることにより、マーカー本体２からゴルフボールをイメージし易くなり、例えば、ホール（カップ）までのライン読みがし易くなったり、素振りがし易くなったりする。また、マーカー本体２が十分に大きなサイズとなり、遠くからでも見つけ易くなるといった効果もある。
【００２２】  また、マーカー本体２の厚さとしては、特に限定されないが、例えば、２ｍｍ〜１０ｍｍ程度であることが好ましく、４ｍｍ〜６ｍｍ程度であることがより好ましい。これにより、機械的強度を保ちつつ、過度な肉厚化を防止することができ、適度な厚みを有するマーカー本体２となる。
【００２３】  また、マーカー本体２は、有色透明である。本実施形態では、マーカー本体２は、緑色系の蛍光色に着色されており、かつ、光透過性を有している。マーカー本体２を蛍光色に着色することにより、反射に加えて光ルミネセンスで発光させることができるため、より鮮明に見えるマーカー本体２となる。さらに、マーカー本体２が光透過性を有することにより、マーカー本体２のエッジ部分（表裏面と側面との境界部分）等で光が散乱し、非常にきれいで鮮明なマーカー本体２となる。特に、緑色系の蛍光色とすることにより、グリーン上においてさらに目立つマーカー本体２となり、上述の効果がより顕著なものとなる。なお、マーカー本体２は、光透過性を有していなくてもよい。また、マーカー本体２の色は、緑色系の蛍光色に限定されず、ピンク色系、オレンジ色系、青色系、黄色系、紫色系等の蛍光色であってもよいし、蛍光色でない色であってもよいし、無色であってもよい。
【００２４】  また、マーカー本体２の側面には凹凸２１が形成されている。凹凸２１は、マーカー本体２の厚さ方向に延在する凸条２１１および凹条２１２がマーカー本体２の周方向に交互に形成された構成となっている。このように、マーカー本体２の側面に凹凸２１を形成することにより、当該部分においても光を散乱させることができ、さらに鮮明なマーカー本体２となる。ただし、凹凸２１の構成としては、特に限定されず、例えば、マーカー本体２の周方向に延在する環状の凸条および凹状がマーカー本体２の厚さ方向に交互に形成された構成となっていてもよいし、格子状に凹凸が形成されていてもよいし、不規則に凹凸が形成されていてもよい。また、凹凸２１は、省略してもよい。
【００２５】  以上のようなマーカー本体２の構成材料としては、特に限定されず、例えば、ポリエチレン、ポリプロピレン、ポリ塩化ビニル、ポリカーボネート、アクリル系樹脂、アクリロニトリル−ブタジエン−スチレン共重合体（ＡＢＳ樹脂）、アクリロニトリル−スチレン共重合体（ＡＳ樹脂）、ポリエチレンテレフタレート（ＰＥＴ）等の各種樹脂材料や、鉄、ニッケル、アルミニウム、鉛、錫、チタン、タングステン等の各種金属またはこれらのうちの少なくとも１種を含む合金（例えば、ステンレス鋼）や、アルミナ、シリカ、チタニア、ジルコニア等の各種セラミックスや、各種ガラス材料等を用いることができる。本実施形態のようにマーカー本体２に光透過性を付与する場合には、各種樹脂材料または各種ガラス材料を用いることが好ましく、これらの中でも特に各種樹脂材料を用いることが好ましい。樹脂材料によれば、蛍光材料（顔料、染料等）を混ぜ合わせることにより、容易に、蛍光色に着色され、かつ、光透過性を有するマーカー本体２を製造することができる。
【００２６】  図２に示すように、スリット３は、マーカー本体２の径方向に沿って直線状に延在している。また、スリット３の一端部は閉じており、他端はマーカー本体２の側面に開放している。また、スリット３とマーカー本体２との接続部は、丸み付け（面取り）されている。このように、スリット３とマーカー本体２との接続部を丸み付けすることにより、当該部分に角がなくなり、より安全なボールマーカー１となる。一方、スリット３の閉じた側の端部３１は、マーカー本体２の中心Ｏを含んでいる。言い換えると、マーカー本体２の平面視で、スリット３の端部３１は、マーカー本体２の中心Ｏと重なっている。また、端部３１は、円弧状に丸み付けされており、この円弧を含む仮想円Ｃは、マーカー本体２と同心的に配置されている。以上のようなスリット３は、その両端部（丸み付けされた部分）を除いて、その延在方向に沿って幅Ｗがほぼ一定となっている。
【００２７】  例えば、グリーン上でのパッティングの際、ゴルフボールを打ち出したい方向にスリット３を合わせてボールマーカー１を配置することにより、ゴルフボールの軌道をイメージし易くなったり、素振りがし易くなったりする。特に、本実施形態では、マーカー本体２に目盛４が設けられている。目盛４は、マーカー本体２のスリット３の開放端とは反対側を「０°」とし、そこから±９０°の範囲に角度を表示する目盛が設けられている。具体的には、「０°」から±４５°までは、５°刻みで目盛が設けられ、その他に、±９０°の目盛が設けられている。このような目盛４を設けることにより、ゴルフボールを打ち出す方向がホールに対して何度傾いているかを目視することができ、ゴルフボールの軌道をイメージし易くなったり、素振りがし易くなったりする。ただし、目盛４の構成としては、上述のような角度に関する目盛に限定されない。また、目盛４は、省略してもよい。
【００２８】  以上、ボールマーカー１について説明したが、このボールマーカー１は、ボールマーカーとしての機能の他に、次のような機能を有する。前述したように、マーカー本体２にスリット３が形成されているため、図３に示すように、このスリット３にパターＰのシャフトＳを挿入することにより、シャフトＳにボールマーカー１を取り付けることができる（固定することができる）。このように、ボールマーカー１をシャフトＳに取り付けた状態でパターＰの素振りを行うと、ボールマーカー１が残像となって、スイングの軌道をよりはっきりと目視することができる。そのため、スイングの練習や確認を効果的に行うことができ、パッティングの向上に役立てることができる。特に、本実施形態では、マーカー本体２を蛍光色に着色されているため、残像が残り易くなり、上述した効果をより顕著に発揮することができる。
【００２９】  なお、スリット３の幅Ｗとしては、特に限定されないが、例えば、７ｍｍ〜１２ｍｍ程度とすることができる。これにより、幅Ｗが市販されているシャフトＳの一般的な幅とほぼ等しくなるため、より確実に、ボールマーカー１をシャフトＳに取り付けることができる。
【００３０】  なお、上述の説明では、ボールマーカー１をパターＰのシャフトＳに取り付けた場合について説明したが、ボールマーカー１を取り付けるクラブは、特に限定されず、ドライバー、フェアウェイウッド、ユーティリティ、アイアン、ウェッジ等、如何なるクラブであってもよい。ボールマーカー１をどのクラブのシャフトに取り付けても、上述した効果と同様の効果を発揮することができる。
【００３１】  以上、本発明のボールマーカーについて、図示の実施形態に基づいて説明したが、本発明はこれに限定されるものではない。例えば、各部の構成は、同様の機能を発揮する任意の構成のものに置換することができ、また、任意の構成を付加することもできる。
【符号の説明】
【００３２】１        ボールマーカー
２        マーカー本体
２１      凹凸
２１１    凸条
２１２    凹条
３        スリット
３１      端部
４        目盛
Ｃ        仮想円
Ｏ        中心
Ｐ        パター
Ｓ        シャフト
【図１】
2020014813.tif 000003
【図２】
2020014813.tif 000004
【図３】
2020014813.tif 000005